(57)【要約】【課題】キャッシュレジスタにおいて、巻き取りプーリを組み込んだプリンタカバーを閉めた状態のままで巻き取りプーリの交換を容易に可能とする。【解決手段】プリンタ３１、このプリンタに送る用紙Ｐが収納される用紙収納部３３、プリンタ及び用紙収納部を覆う開閉可能なプリンタカバー１１、プリンタと対向するプラテン３５、プリンタで印刷されたジャーナル紙を巻き取る巻き取りプーリ３６を備える。プリンタカバー１１に、当該プリンタカバーを閉じた状態で巻き取りプーリ３６を交換可能とする開口部１３を形成するとともに、この開口部１３から巻き取りプーリ３６を保持可能とするプーリ保持部１４を設ける。そして、開口部１３を開閉可能とする第２カバー２１を備える。また、プリンタカバー１１を開動作させる操作部材４１を設ける。【選択図】        図４
2004362393.tif 000002
【特許請求の範囲】
【請求項１】
プリンタと、このプリンタに送る用紙が収納される用紙収納部と、前記プリンタ及び用紙収納部を覆う開閉可能なプリンタカバーと、前記プリンタと対向するプラテンと、前記プリンタで印刷されたジャーナル紙を巻き取る巻き取りプーリとを備えるキャッシュレジスタであって、
前記プリンタカバーに、当該プリンタカバーを閉じた状態で前記巻き取りプーリを交換可能とする開口部を形成するとともに、この開口部から前記巻き取りプーリを保持可能とするプーリ保持部を設け、
前記開口部を開閉可能とする第２カバーを備えたことを特徴とするキャッシュレジスタ。
【請求項２】
前記プリンタカバーを開動作させる操作部材を設けたことを特徴とする請求項１に記載のキャッシュレジスタ。
【請求項３】
前記操作部材を、前記プリンタを支持するプリンタシャーシに取り付けたことを特徴とする請求項１または請求項２に記載のキャッシュレジスタ。
【請求項４】
前記プリンタカバーを回動自在に支持する軸部材の端部に外周溝を形成し、この外周溝に係合する爪部材を備えたことを特徴とする請求項１から請求項３のいずれか一項に記載のキャッシュレジスタ。
【発明の詳細な説明】
【０００１】
【発明の属する技術分野】
本発明は、ロール紙を巻き取る巻き取りプーリを組み込んだキャッシュレジスタに関する。
【０００２】
【従来の技術】
キャッシュレジスタにおいて、プリンタカバーを開け、ジャーナル用プリンタ部を後方に倒してから、ロール紙の交換を行うようにしたものがある（例えば、特許文献１参照）。そのジャーナル用プリンタ部には、印字後のロール紙（ジャーナル紙）を巻き取る巻き取りプーリがユニット化されている。
【０００３】
【特許文献１】
特開２０００−４８２５８号公報
【０００４】
【発明が解決しようとする課題】
ところで、図１１に示すように、プラテンローラ１０５を備えるプラテンアーム１１１にジャーナル紙の巻き取りプーリ１１２を組み込むようにすることが考えられる。なお、図中、Ｐはロール紙、１０１はキャッシュレジスタ本体、１０２はプリンタカバー、１０３はレシートプリンタ、１０４はオートカッタ、１０７はプリンタシャーシ、１０８はロール紙収納部、１０９は巻き取りモータである。
このように、プラテンアーム１１１に巻き取りプーリ１１２を組み込む構造の場合、特許文献１と同様に、プリンタカバー１０２を開けてから、プラテンアーム１１１を後方に倒す二段階操作を行わないと、ロール紙Ｐの交換が行えず面倒である。
【０００５】
そこで、ロール紙の交換容易化のために、プリンタカバーに巻き取りプーリも組み込むことが考えられるが、そうすると、巻き取りプーリの交換が面倒なものとなってしまう。
【０００６】
本発明の課題は、キャッシュレジスタにおいて、巻き取りプーリを組み込んだプリンタカバーを閉めた状態のままで巻き取りプーリの交換を容易に可能とすることである。
【０００７】
【課題を解決するための手段】
以上の課題を解決するため、請求項１に記載の発明は、
例えば、図１から図３及び図１０に示すように、
プリンタ３１と、このプリンタに送る用紙Ｐが収納される用紙収納部３３と、前記プリンタ及び用紙収納部を覆う開閉可能なプリンタカバー１１と、前記プリンタと対向するプラテン３５と、前記プリンタで印刷されたジャーナル紙を巻き取る巻き取りプーリ３６とを備えるキャッシュレジスタであって、
前記プリンタカバー１１に、当該プリンタカバーを閉じた状態で前記巻き取りプーリ３６を交換可能とする開口部１３を形成するとともに、この開口部１３から前記巻き取りプーリ３６を保持可能とするプーリ保持部１４を設け、
前記開口部１３を開閉可能とする第２カバー２１を備えたことを特徴とする。
【０００８】
請求項１に記載の発明によれば、プリンタカバーを閉じた状態において、その開口部に備える第２カバーを外すと、開放された開口部からプーリ保持部に対しジャーナル紙巻き取りプーリを簡単に交換できる。
【０００９】
請求項２に記載の発明は、
請求項１に記載のキャッシュレジスタであって、
例えば、図１及び図４に示すように、
前記プリンタカバー１１を開動作させる操作部材４１を設けたことを特徴とする。
【００１０】
請求項２に記載の発明によれば、操作部材の操作によりプリンタカバーが開動作するので、プリンタカバーを簡単に開けられる。
【００１１】
請求項３に記載の発明は、
請求項１または請求項２に記載のキャッシュレジスタであって、
例えば、図５及び図６に示すように、
前記操作部材４１を、前記プリンタ３１を支持するプリンタシャーシ３２に取り付けたことを特徴とする。
【００１２】
請求項３に記載の発明によれば、プリンタシャーシに操作部材が取り付けられているので、操作部材の支持剛性に優れ、プリンタカバーの開動作を保証できる。
【００１３】
請求項４に記載の発明は、
請求項１から請求項３のいずれか一項に記載のキャッシュレジスタであって、
例えば、図９に示すように、
前記プリンタカバー１１を回動自在に支持する軸部材５１の端部に外周溝５２を形成し、この外周溝に係合する爪部材２０２を備えたことを特徴とする。
【００１４】
請求項４に記載の発明によれば、プリンタカバー回動用の軸部材端部の外周溝に爪部材を係合させた構造なので、プリンタカバーの回動支点となる軸部材の抜け止めがなされ、また、爪部材の弾性変形により軸部材を簡単に着脱できる。
【００１５】
【発明の実施の形態】
以下、図を参照して本発明の実施の形態を詳細に説明する。
実施形態において、キャッシュレジスタは、図１に示すように、ドロア１上にキャッシュレジスタ本体２を載せて構成されている。キャッシュレジスタ本体２上には、手前寄りほぼ半分に各種入力キー部３が、右上に金額表示部４が設けられるとともに、左上にプリンタカバー１１が後方でのヒンジ結合により開閉可能に備えられている。なお、プリンタカバー１１は、図２に示すように、キャッシュレジスタ本体２の背面にまで位置しており、その側方にも金額表示部５が設けられている。
【００１６】
図３はキャッシュレジスタ本体２を一部破断した際の概略構成図であり、キャッシュレジスタ本体２の内部において、プリンタカバー１１により覆われる部分には、図３に示すように、レシートプリンタ３１がプリンタシャーシ３２上に設けられるとともに、用紙収納部であるロール紙収納部３３が形成されている。そして、レシートプリンタ３１上にオートカッタ３４が設けられている。また、プリンタカバー１１の前端面にプラテンローラ３５が備えられている。
プリンタカバー１１には、図１０に示すように、前端部上に書き込み台１２が設けられており、この書き込み台１２から後方に離れた部分から後端部までに渡って大きな開口部１３が形成されている。この大きな開口部１３には、巻き取りプーリ３６を通すことができる。
【００１７】
また、図３に示したロール紙収納部３３の右側奥方には、図４（図３で示したプリンタシャーシ３２、オートカッタ３４をキャッシュレジスタ本体２で覆った状態の図）に示すように、巻き取りモータ３７が配置されており、３８は電池蓋である。
そして、プリンタカバー１１の開口部１３の左右両側面には、図３、図４、図７及び図１１に示すように、上方から巻き取りプーリ３６を挿入して軸受支持するプーリ保持部１４が形成されている。
【００１８】
プリンタカバー１１は、後方でキャッシュレジスタ本体２にヒンジ結合した軸部材５１を支点として回動自在となっていて、プリンタカバー開動作用操作部材としての押しボタン４１を押すと、上方に開動作する。
即ち、図１、図４及び図１０に示すように、プリンタカバー１１の手前のキャッシュレジスタ本体２上に押しボタン４１が配置されており、この押しボタン４１は、図５に示すように、一体のレバー部４２の一端部上に設けられている。このレバー部４２は、他端部上が押し上げ部４３となっていて、中間部に側方に突出するボス部４４を有している。このボス部４４において、図６に示すように、剛性に優れるプリンタシャーシ３２にレバー部４２が回動自在に取り付けられている。押し上げ部４３は、図４に示すように、ロール紙Ｐ及びレシートプリンタ３１の側方に位置している。
【００１９】
さらに、プリンタカバー１１上には、図１から図４に示すように、第２カバーとして透明なジャーナルカバー２１が設けられている。
このジャーナルカバー２１は、前記開口部１３を覆ってプリンタカバー１１上に重ねられるもので、前記書き込み台１２に対応する前端部には、図１及び図８に示すように、切り欠き部２２が形成されている。また、ジャーナルカバー２１の後端部には差し込み片２３が形成されている。この差し込み片２３を前記開口部１３の後端部内に差し込んで、ジャーナルカバー２１がプリンタカバー１１上に重ねられている。
【００２０】
図９はプリンタカバー１１の端部支持構造を示したもので、プリンタカバー１１を後方でキャッシュレジスタ本体２にヒンジ結合した軸部材５１の左端部には、図示のように、外周溝５２が形成されている。この外周溝５２には、キャッシュレジスタ本体２の後端左隅部に形成した小窓部２０１に樹脂一体成形された爪部材２０２の先端部が係合している。
このように、軸部材５１端部の外周溝５２に爪部材２０２を係合させたことによって、プリンタカバー１１の回動支点となる軸部材５１の抜け止めがなされている。なお、軸部材５１の着脱は、爪部材２０２の弾性変形により簡単に行える。
【００２１】
以上において、プリンタカバー１１を閉めてその前端面に備えられたプラテンローラ３５を、レシートプリンタ３１上に用紙Ｐを挟んで載せると、図示しないロック手段によりプラテンローラ３５がレシートプリンタ３１上に固定状態となる。このようなプラテンセット状態は図示しないセンサにより検出され、以降、レシートプリンタ３１による所望のレシート印刷が行われる。
【００２２】
次に、以上のキャッシュレジスタの使い方を説明する。
レシート発行のみで使用する場合、巻き取りプーリ３６は用いないので、プリンタカバー１１を開けて、ロール紙Ｐを交換できる。
即ち、所定のキー入力操作によりレシートプリンタ３１上へのプラテンローラ３５の固定状態を解除してから、押しボタン４１を押すと、レバー部４２他端側の押し上げ部４３によりプリンタカバー１１の前端部が押し上げられる。そして、プリンタカバー１１を手で持ち上げて後へ倒すことで、ロール紙Ｐを簡単に交換できる。
【００２３】
そして、ジャーナルとして巻き取る場合は、プリンタカバー１１を閉じたままの状態で、ジャーナルカバー２１を外してから、プリンタカバー１１の開放された開口部１３内に巻き取りプーリ３５を組み込む。
即ち、図７（ａ）はジャーナルカバー２１を外してプリンタカバー１１の開口部１３を開放した状態を示したもので、その開口部１３から巻き取りプーリ３５を挿入してプーリ保持部１４に保持させる。この状態を図７（ｂ）に示した。
続いて、図１０に示したように、ロール紙Ｐの先端部を巻き取りプーリ３５に巻き付けておく。その後、プリンタカバー１１上にジャーナルカバー２１を再び重ねておく。
【００２４】
以上により、レシートプリンタ３１による印刷された用紙Ｐに書き込み台１２上で所定の書き込みを行う。このとき、巻き取りプーリ３５は、巻き取りモータ３７の駆動によりレシートプリンタ３１の紙送りと同期してジャーナル紙を巻き取る。
このようにしてジャーナル紙の巻き取りが行われる。
【００２５】
レシート発行のみの使用に戻す場合は、ジャーナルカバー２１を外して、プリンタカバー１１の開口部１３から巻き取りプーリ３５を外した後、プリンタカバー１１上にジャーナルカバー２１を再び重ねておく。
参考までに、巻き取りプーリ３５を装着したプリンタカバー３１を開けて後方に倒した状態を図４に示している。
【００２６】
なお、以上の実施の形態においては、第２カバー（ジャーナルカバー）を透明としたが、本発明はこれに限定されるものではなく、不透明で着色してあっても良い。
また、実施形態では、プリンタカバーを開動作する操作部材を押しボタンとしたが、レバー式のものや電気式のものであっても良い。
さらに、レシートプリンタとジャーナルプリンタとを備えた場合は、これら両プリンタを覆うプリンタカバーとなるが、このプリンタカバーにはジャーナルプリンタ側だけに第２カバー（ジャーナルカバー）を設けても良いし，また、両プリンタとも見えるサイズの第２カバー（ジャーナルカバー）を設けても良い。
また、プリンタカバーや第２カバー（ジャーナルカバー）の形状等も任意であり、その他、具体的な細部構造等についても適宜に変更可能であることは勿論である。
【００２７】
【発明の効果】
請求項１に記載の発明によれば、プリンタカバーを閉じたまま第２カバーを外すことで、開放された開口部からプーリ保持部に対しジャーナル紙巻き取りプーリを簡単に交換できる。
【００２８】
請求項２に記載の発明によれば、操作部材を操作によりプリンタカバーが開動作するので、請求項１に記載の発明により得られる効果に加え、プリンタカバーを簡単に開けられるといった利点が得られる。
【００２９】
請求項３に記載の発明によれば、プリンタシャーシに操作部材が取り付けられているので、請求項１または請求項２に記載の発明により得られる効果に加え、操作部材の支持剛性に優れ、プリンタカバーの開動作を保証できるといった利点が得られる。
【００３０】
請求項４に記載の発明によれば、プリンタカバー回動用の軸部材端部の外周溝に爪部材を係合させた構造なので、請求項１から請求項３のいずれか一項に記載の発明により得られる効果に加え、プリンタカバーの回動支点となる軸部材の抜け止めがなされ、また、爪部材の弾性変形により軸部材を簡単に着脱できるといった利点が得られる。
【図面の簡単な説明】
【図１】本発明を適用したキャッシュレジスタの概略構成を示す外観斜視図である。
【図２】図１のキャッシュレジスタを後側から見た図である。
【図３】図１のキャッシュレジスタのプリンタ部分の概略構成を示した斜視図である。
【図４】巻き取りプーリが装着されたプリンタカバーを開けた状態を示した要部の斜視図である。
【図５】プリンタカバーを開動作する操作部材を示した斜視図である。
【図６】図５の操作部材の取付部を示した要部底面図である。
【図７】第２カバーを外した状態のプリンタカバー部分を示す平面図で、（ａ）は巻き取りプーリの非装着状態を示した図、（ｂ）は巻き取りプーリの装着状態を示した図である。
【図８】第２カバーの単品状態を示した斜視図である。
【図９】プリンタカバーの端部支持構造を示した拡大図である。
【図１０】第２カバーを外した状態で巻き取りプーリにジャーナル紙を巻き付けた状態を示した平面図である。
【図１１】キャッシュレジスタの対比例として、プラテンローラを備えるプラテンアームに巻き取りプーリを組み込んだプリンタ構造部分の概略構成を示した斜視図である。
【符号の説明】
Ｐ  用紙（ロール紙）
１  ドロア
２  キャッシュレジスタ本体
１１  プリンタカバー
１２  書き込み台
１３  開口部
１４  プーリ保持部
２１  第２カバー（ジャーナルカバー）
２２  切り欠き部
２３  差し込み片
３１  プリンタ
３２  プリンタシャーシ
３３  用紙収納部（ロール紙収納部）
３５  プラテン
３６  巻き取りプーリ
３７  巻き取りモータ
４１  操作部材
４２  レバー部
４３  押し上げ部
４４  ボス部
５１  軸部材
５２  外周溝
２０２  爪部材
【図１】
2004362393.tif 000003
【図２】
2004362393.tif 000004
【図３】
2004362393.tif 000005
【図４】
2004362393.tif 000006
【図５】
2004362393.tif 000007
【図６】
2004362393.tif 000008
【図７】
2004362393.tif 000009
【図８】
2004362393.tif 000010
【図９】
2004362393.tif 000011
【図１０】
2004362393.tif 000012
【図１１】
2004362393.tif 000013